(57)【特許請求の範囲】
【請求項１】
筐体と、この筐体の前面側に設けられてディスクの挿入および排出が行われる挿入口と、前記筐体内の奥部に設けられて複数枚のディスクが厚み方向に並べて保持されるディスク収納部と、前記筐体内のプレイ位置に配置されたディスクに対して情報の再生および／または記録を行う駆動ユニットと、前記挿入口と前記ディスク収納部との間でディスクを搬送するディスク搬送機構とを備え、このディスク搬送機構が、複数の駆動プーリを列状に配設してディスクの周縁部に駆動力を付与する第１のガイド体と、ディスクの周縁部を案内するガイド溝を有し前記第１のガイド体に対向して配置された第２のガイド体と、これら第１および第２のガイド体を近接離反方向に移動させて両ガイド体の間隔を変更し、ディスクがプレイ位置に配置されるときには該間隔を最大となすガイド体間隔変更手段と、前記第１のガイド体を第２のガイド体に接近する方向へ付勢する引っ張りばねとを有し、前記駆動プーリと前記ガイド溝との間に挟持したディスクを前記駆動力によって搬送するようにしたチェンジャ型ディスク装置のディスク搬送機構において、
前記第１のガイド体に支持され前記複数の駆動プーリのうち前記プレイ位置のディスクに最も近い特定の駆動プーリを先端部に軸支した回動レバーと、前記特定の駆動プーリを前記第２のガイド体側へ移動させる向きに前記回動レバーを弾性付勢する復帰ばねと、前記回動レバーにリンク結合されて、前記第１および第２のガイド体の間隔を最大となす動作に連動して該回動レバーを前記復帰ばねの付勢力に抗して回転させるレバー駆動手段と、前記特定の駆動プーリがディスクの周縁部に所定量押し込まれたときに前記レバー駆動手段を係止して前記回動レバーの回転を規制する回転規制手段とを備え、前記第１および第２のガイド体の間隔を最大にするとき、前記レバー駆動手段に駆動された前記回動レバーの回転に伴って前記特定の駆動プーリが他の駆動プーリに比して第２のガイド体から離れる方向へ移動するように構成したことを特徴とするチェンジャ型ディスク装置のディスク搬送機構。
【請求項２】
請求項１の記載において、前記レバー駆動手段を係止可能なストッパ部と該レバー駆動手段に摺接するカム面とを有する係止カム部材を備え、この係止カム部材の前記ストッパ部が、前記特定の駆動プーリがディスクの周縁部に所定量押し込まれたときに前記レバー駆動手段を係止して前記回動レバーの回転を規制すると共に、この係止カム部材の前記カム面が、前記第１および第２のガイド体の間隔を最大となす動作に連動して前記レバー駆動手段を駆動することで、前記回動レバーを前記復帰ばねの付勢力に抗して回転させるようにしたことを特徴とするチェンジャ型ディスク装置のディスク搬送機構。
【発明の詳細な説明】
【０００１】
【発明の属する技術分野】
本発明は、ＣＤ（コンパクトディスク）やＤＶＤ（デジタルバーサタイルディスク）等のディスクに対して情報の再生および／または記録が可能で、かつ装置内に複数枚のディスクを収納可能なチェンジャ型ディスク装置に係り、特に、挟持したディスクを挿入口とプレイ位置との間、あるいはプレイ位置とディスク収納部との間で自動搬送するチェンジャ型ディスク装置のディスク搬送機構に関する。
【０００２】
【従来の技術】
車載用のチェンジャ型ディスク装置においては、挿入口から挿入されたディスクをディスク搬送機構によって所定位置へ自動搬送するスロットイン方式が多用されている。かかるチェンジャ型ディスク装置には、その筐体内の奥部に複数枚のディスクを厚み方向に並べて保持可能なディスク収納部が備えられており、ディスク収納部内の選択されたディスクがディスク搬送機構によってプレイ位置へと搬送された後、駆動ユニットがターンテーブル上にチャッキングされた該ディスクを回転駆動しながら光ピックアップ等を用いて情報の再生および／または記録を行うようになっている。
【０００３】
上述したディスク搬送機構としては、従来、複数の駆動プーリをベース板上に列状に配設してディスクの周縁部に駆動力を付与する第１のガイド体と、ディスクの周縁部を搬送方向に沿って案内するガイド溝を設けた第２のガイド体とを、近接離反方向に移動可能に対向配置させた構成のものが広く知られている。かかるディスク搬送機構では、駆動プーリとガイド溝との間にディスクを挟持した状態で各駆動プーリを同じ向きに回転させることにより、該ディスクがガイド溝に沿って転動しながら移送されるようになっており、プレイ動作中はディスクや光ピックアップが第１および第２のガイド体と接触しないようにするため、モータやラック等を介して両ガイド体の間隔は広げられている。
【０００４】
また、上述したディスク収納部としては、従来、複数のストッカを昇降可能に配設した構成のものが広く知られている。かかるディスク収納部は、ディスクの外周縁を約半周に亘って保持溝内に保持可能な弓形形状のストッカと、不等ピッチの螺旋状溝を有する複数本の送りねじ部材とを備えており、積層状態に並べられた複数のストッカに各送りねじ部材を挿通して螺合させ、これら送りねじ部材を同期して回転させることにより、ディスクを保持する各ストッカが送りねじ部材の軸線方向に昇降可能となっている。
【０００５】
ただし、ディスクには製造上の寸法バラツキがあることを考慮して、ストッカの保持溝の溝幅は予測されるディスクの最大の厚みと略同等の寸法に設定されている。したがって、保持溝の溝幅と略同等の厚みのディスクをストッカから取り出す場合には、該ディスクとストッカとの間の摩擦力に打ち勝つため、ディスク搬送機構の最奥の駆動プーリを該ディスクの周縁部に強く圧接させる必要がある。なお、ストッカの保持溝の溝幅をこれ以上大きく設定しておくと、車両からの外部振動によって、ストッカに保持されているディスクが振動してラットルノイズと呼ばれる異音を発生してしまうという問題が起こる。かかるラットルノイズは、音楽等のプレイ動作時に非常に耳障りなものとなるので、極力抑制しておかねばならない。
【０００６】
【発明が解決しようとする課題】
一般的に、車載用のチェンジャ型ディスク装置においては、車両走行中の振動の影響を避けるために、プレイ動作中はターンテーブルや光ピックアップをダンパ機構を介して支持するという防振対策が採用されている。そのため、プレイ動作中にはディスクや光ピックアップの周囲に十分なクリアランスを確保しておく必要があるが、このようなクリアランスが確保できる位置まで第１および第２のガイド体を外側へ退避させようとすると、前述した従来のディスク搬送機構では、装置の幅寸法が増大して１ＤＩＮサイズに対応させることが困難になってしまう。したがって、前記クリアランスをある程度犠牲にした設計を余儀なくされてしまい、防振対策の信頼性を損なう要因となっていた。
【０００７】
本発明は、このような従来技術の実情に鑑みてなされたもので、その目的は、複数の駆動プーリを列状に配設しているガイド体の退避スペースを抑えつつ、プレイ動作中のディスクや光ピックアップとの干渉を回避することができ、装置の小型化や防振対策の信頼性向上に有利であると共に、厚みが大きいディスクの搬送に支障をきたす恐れがないチェンジャ型ディスク装置のディスク搬送機構を提供することにある。
【０００８】
【課題を解決するための手段】
本発明は、複数の駆動プーリが列状に配設されているガイド体の特定の駆動プーリが、このガイド体の退避動作に連動する回動レバー等のリンク機構に駆動されて、プレイ動作中は他の駆動プーリよりも大きく退避するようにした。これにより、プレイ動作中にディスクや光ピックアップとの干渉が懸念される特定の駆動プーリだけを大きく退避させることができるので、他の駆動プーリ等も含めてガイド体の全体を大きく退避させなくても、車載用のチェンジャ型ディスク装置に要求される防振対策の信頼性が確保できる。また、本発明では、特定の駆動プーリがディスクの周縁部に所定量押し込まれたときに、前記回動レバーの回転を規制して特定の駆動プーリが独自に退避できないようにしてあるので、他の駆動プーリと同様に、特定の駆動プーリもディスク挟持用の引っ張りばねの牽引力によってディスクの周縁部に強く圧接させることができる。それゆえ、厚み寸法が大きくストッカとの摩擦力が懸念されるディスクであっても、これを特定の駆動プーリによってストッカから確実に取り出すことができる。
【０００９】
【発明の実施の形態】
本発明によるチェンジャ型ディスク装置のディスク搬送機構では、筐体と、この筐体の前面側に設けられてディスクの挿入および排出が行われる挿入口と、前記筐体内の奥部に設けられて複数枚のディスクが厚み方向に並べて保持されるディスク収納部と、前記筐体内のプレイ位置に配置されたディスクに対して情報の再生および／または記録を行う駆動ユニットと、前記挿入口と前記ディスク収納部との間でディスクを搬送するディスク搬送機構とを備え、このディスク搬送機構が、複数の駆動プーリを列状に配設してディスクの周縁部に駆動力を付与する第１のガイド体と、ディスクの周縁部を案内するガイド溝を有し前記第１のガイド体に対向して配置された第２のガイド体と、これら第１および第２のガイド体を近接離反方向に移動させて両ガイド体の間隔を変更し、ディスクがプレイ位置に配置されるときには該間隔を最大となすガイド体間隔変更手段と、前記第１のガイド体を第２のガイド体に接近する方向へ付勢する引っ張りばねとを有し、前記駆動プーリと前記ガイド溝との間に挟持したディスクを前記駆動力によって搬送するようにしたチェンジャ型ディスク装置のディスク搬送機構において、前記第１のガイド体に支持され前記複数の駆動プーリのうち前記プレイ位置のディスクに最も近い特定の駆動プーリを先端部に軸支した回動レバーと、前記特定の駆動プーリを前記第２のガイド体側へ移動させる向きに前記回動レバーを弾性付勢する復帰ばねと、前記回動レバーにリンク結合されて、前記第１および第２のガイド体の間隔を最大となす動作に連動して該回動レバーを前記復帰ばねの付勢力に抗して回転させるレバー駆動手段と、前記特定の駆動プーリがディスクの周縁部に所定量押し込まれたときに前記レバー駆動手段を係止して前記回動レバーの回転を規制する回転規制手段とを備え、前記第１および第２のガイド体の間隔を最大にするとき、前記レバー駆動手段に駆動された前記回動レバーの回転に伴って前記特定の駆動プーリが他の駆動プーリに比して第２のガイド体から離れる方向へ移動するように構成した。
【００１０】
なお、レバー駆動手段と回転規制手段はリンク結合しておくことが好ましく、例えば、上述したディスク搬送機構が、レバー駆動手段を係止可能なストッパ部と該レバー駆動手段に摺接するカム面とを有する係止カム部材を備え、この係止カム部材の前記ストッパ部が、特定の駆動プーリがディスクの周縁部に所定量押し込まれたときにレバー駆動手段を係止して回動レバーの回転を規制すると共に、この係止カム部材の前記カム面が、第１および第２のガイド体の間隔を最大となす動作に連動してレバー駆動手段を駆動することで、回動レバーを復帰ばねの付勢力に抗して回転させるようにしておけばよい。
【００１１】
このように構成されるディスク搬送機構では、ディスクがプレイ位置に配置されて第１および第２のガイド体を外側へ退避させると、レバー駆動手段が回動レバーを回転させるため、この回動レバーの先端部に軸支されている特定の駆動プーリが他の駆動プーリよりも大きく退避して外側へ突出する。この特定の駆動プーリは、ディスク収納部に最も近くてプレイ動作中にディスクや光ピックアップとの干渉が特に懸念される駆動プーリなので、この駆動プーリを大きく退避させることにより、ガイド体の全体を大きく退避させる必要がなくなり、チェンジャ型ディスク装置の幅寸法の短縮化が容易になる。また、その結果として、装置の幅寸法を不所望に増大させなくても、プレイ動作中のディスクや光ピックアップの周囲に十分なクリアランスを確保することができるので、防振対策の信頼性が向上する。
【００１２】
しかも、ディスクを搬送する際に、特定の駆動プーリが該ディスクの周縁部に所定量押し込まれると、回転規制手段がレバー駆動手段を介して回動レバーの回転を規制し、特定の駆動プーリが独自に退避できないようにしてあるので、回動レバー用の復帰ばねの付勢力が弱くても、特定の駆動プーリを他の駆動プーリと同様に、ディスク挟持用の引っ張りばねの牽引力によってディスクの周縁部に強く圧接させることができる。したがって、許容限度の厚みを有してストッカとの摩擦力が懸念されるディスクであっても、該ディスクを特定の駆動プーリの付与する駆動力によってストッカから確実に取り出すことができると共に、特定の駆動プーリを独自に大きく退避させる際にレバー駆動手段に作用する負荷を抑えることができる。
【００１３】
なお、かかるディスク搬送機構を、ディスクがプレイ位置に配置されているとき、該ディスクおよび駆動ユニットがダンパ機構に支持されるようにしたチェンジャ型ディスク装置に組み込めば、１ＤＩＮサイズに対応させつつ防振対策の信頼性向上が図れるので好ましい。
【００１４】
【実施例】
実施例について図面を参照して説明すると、図１はチェンジャ型ディスク装置の内部機構を省略して示す断面図、図２はディスクの挿入開始時の状態を示す上部シャーシ側の内部機構説明図、図３はディスクをストッカに収納した状態を示す上部シャーシ側の内部機構説明図、図４はディスクをプレイ位置へ搬送している状態を示す上部シャーシ側の内部機構説明図、図５はプレイ動作時の状態を示す上部シャーシ側の内部機構説明図、図６は待機状態の第１のガイド体を示す説明図、図７はディスク搬送中の第１のガイド体を示す説明図、図８は退避状態の第１のガイド体を示す説明図、図９は第１のガイド体に付設したリンク機構の部品構成図である。なお、図２〜図９は上部シャーシを下面側から見た状態を示している。
【００１５】
本実施例に係るチェンジャ型ディスク装置は、ディスクＤを複数枚収納してそのうちの１枚のディスクＤを選択的に再生可能なスロットイン方式のディスク再生装置である。この装置は、１ＤＩＮサイズ対応の車載用であって、プレイ動作中の音飛び等を回避するための防振対策が講じられている。
【００１６】
図１に示すように、このチェンジャ型ディスク装置は、箱形形状の筐体１と該筐体１の前面に配設されたノーズ部材２とを備えており、ノーズ部材２には挿入口２ａが開設されている。挿入口２ａは図示せぬドア部材によって開閉可能となっており、この挿入口２ａを介してディスクＤの挿入および排出が行われる。筐体１は上部シャーシ３と下部シャーシ４とで構成されており、これら両シャーシ３，４は図示せぬ複数本のねじを用いて一体化されている。上部シャーシ３側にはディスク搬送機構５や筐体１内の奥部を占有するディスク収納部６が設けられており、このディスク搬送機構５によって挿入口２ａとプレイ位置間ならびにプレイ位置とディスク収納部６間でディスクＤの搬送が行われる。一方、下部シャーシ４側には駆動ユニット７やドライブ駆動機構８が設けられており、駆動ユニット７には図示せぬ光ピックアップやターンテーブル、クランパ等が配設されている。この駆動ユニット７はドライブ駆動機構８によって筐体１内の退避位置と駆動位置との間で往復移動可能であり、図５に示すように駆動ユニット７が駆動位置にあるとき、プレイ位置に配置されたディスクＤをターンテーブルで回転駆動しながら、その情報を光ピックアップで読み取れるようになっている。また、防振対策として、プレイ動作中は駆動ユニット７が図示せぬダンパ機構に支持されるようになっている。この駆動ユニット７は通常図５に示す駆動位置に位置しており、ディスク収納部６内に収納されているディスクの選択動作が行われるときだけ前記退避位置へ移動する。
【００１７】
なお、ディスク収納部６には、図示せぬモータを駆動源として回転駆動される大径歯車３０と、不等ピッチの螺旋状溝を有して大径歯車３０により回転駆動される４本の送りねじ部材３１と、ディスクＤの外周縁を約半周に亘って保持可能な弓形形状の複数のストッカ３２とが配設されており、積層状態に並べられた複数のストッカ３２に各送りねじ部材３１を挿通して螺合させ、これら送りねじ部材３１を同期して回転させることにより、ディスクＤを保持する各ストッカ３２が送りねじ部材３１の軸線方向に昇降可能となっている。
【００１８】
次に、本実施例に係るチェンジャ型ディスク装置のディスク搬送機構５について詳細に説明する。
【００１９】
このディスク搬送機構５は、複数の駆動プーリ１３，１３ａや各駆動プーリ１３，１３ａに駆動力を伝達する歯車１４を列状に配設してディスクＤの周縁部に駆動力を付与する第１のガイド体１１と、ディスクＤの周縁部を案内する図示せぬガイド溝を有して第１のガイド体１１に対向して配置された第２のガイド体１２と、これら第１および第２のガイド体１１，１２を近接離反方向に移動させて両ガイド体１１，１２の間隔を変更するモータ１５やラック１６、第１および第２のスライド板１７，１８等からなるガイド体間隔変更手段と、第１のガイド体１１を第２のガイド体１２に接近する方向へ付勢し、第１および第２のガイド体１１，１２の間隔がディスクＤによって押し広げられることを許容しディスクＤの挟持力を生起する引っ張りばね１０とによって主に構成されており、後述するように、第１のガイド体１１には最奥の駆動プーリ１３ａを必要時だけ大きく退避させるためのリンク機構が備えられている。そして、ディスクＤを搬送する際には、第１のガイド体１１の駆動プーリ１３（１３ａ）と第２のガイド体１２のガイド溝との間にディスクＤを挟持し、引っ張りばね１０の牽引力によって駆動プーリ１３（１３ａ）をディスクＤの周縁部に弾接させた状態で、図示せぬモータの駆動力を歯車１４を介して駆動プーリ１３（１３ａ）に伝達するようになっている。なお、前記ガイド溝はディスクＤの搬送方向に沿って直線状に延びており、各駆動プーリ１３，１３ａにはディスクＤの周縁部が挿入されるＶ字状の溝部が設けられている。
【００２０】
図６〜図９に示すように、第１のガイド体１１は第１のスライド板１７と一体のベース板１１ａに複数の駆動プーリ１３および歯車１４、回動レバー１９、扇状レバー２２等を軸支して構成されるが、プレイ時のディスクＤの周縁部およびディスク収納部６に最も近い最奥の駆動プーリ（特定の駆動プーリ）１３ａについては、ベース板１１ａではなく回動レバー１９の先端部で軸支している。この回動レバー１９は、ベース板１１ａに立設された回転中心軸１１ｂに回動自在に軸支されていると共に、連結部材２０の一端部に回動自在に連結されており、連結部材２０の他端部は扇状レバー２２に回動自在に連結されている。また、ベース板１１ａに一端が掛止された復帰ばね２１の他端が回動レバー１９に掛止されているので、回動レバー１９は復帰ばね２１によって回転中心軸１１ｂを中心に図示反時計回りに弾性付勢されている。なお、復帰ばね２１の付勢力は前記引っ張りばね１０の付勢力（荷重）よりも小さいものとなっている。扇状レバー２２はベース板１１ａに立設された回転中心軸１１ｃに回動自在に軸支されており、扇状レバー２２に設けられた切り起こし部２２ａは係止カム部材２３のカム面２３ａに摺接している。この係止カム部材２３は復帰ばね２４を介して第１のスライド板１７に連結されており、復帰ばね２４を伸縮させながら第１のスライド板１７に対して図示左右方向にスライド移動可能である。また、係止カム部材２３には、上部シャーシ３と一体の規制壁３ａに当接可能な突片２３ｂと、第１のスライド板１７の切り起こし部１７ａを摺動自在に挿通させた案内用の長孔２３ｃと、最奥の駆動プーリ１３ａがディスクＤの周縁部によって所定量押し込まれたときに連結部材２０の段部２０ａを係止するストッパ部２３ｄとが設けられている。
【００２１】
ここで、係止カム部材２３の突片２３ｂは第１および第２のガイド体１１，１２の間隔を最大となす退避動作の途中で規制壁３ａに当接するので、両ガイド体１１，１２の間隔がさらに広がると、係止カム部材２３が相対的に第１のスライド板１７に対してスライド移動することになり、その結果、扇状レバー２２に作用するカム面２３ａの駆動力が連結部材２０および回動レバー１９に伝達されて、回動レバー１９が復帰ばね２１の付勢力に抗して図示時計回りに回動し、最奥の駆動プーリ１３ａが第２のガイド体１２から離れる方向へ移動するようになっている（図６，８参照）。また、係止カム部材２３が第１のスライド板１７に対してスライド移動していないときに、最奥の駆動プーリ１３ａがディスクＤの周縁部によって第２のガイド体１２から離れる方向へ押し込まれると、回動レバー１９が図示時計回りに回転駆動されるため連結部材２０がディスク収納部６側へ移動するが、すぐに段部２０ａが係止カム部材２３のストッパ部２３ｄに係止されるので、回動レバー１９の回転が規制されることになり、その結果、最奥の駆動プーリ１３ａはベース板１１ａに軸支されたような状態となって、ディスクＤに対する反力が引っ張りばね１０により生起されるようになっている（図６，７参照）。すなわち、最奥の駆動プーリ１３ａを必要時だけ大きく退避させるための前記リンク機構は、回動レバー１９と、この回動レバー１９を駆動する連結部材２０および扇状レバー２２と、カム面２３ａやストッパ部２３ｄを有する係止カム部材２３とによって構成されている。
【００２２】
なお、第１のガイド体１１では、挿入口２ａの近傍に配設された最も手前の駆動プーリ１３が回動レバー２５の先端部に軸支されており、この回動レバー２５がベース板１１ａに立設された回転中心軸１１ｄに軸支されていると共に、一端が回動レバー２５に掛止された復帰ばね２６の他端が第１のスライド板１７に掛止されている。そして、挿入口２ａから筐体１内へ挿入されたディスクＤの周縁部によって、この最も手前の駆動プーリ１３が第２のガイド体１２から離れる方向へ所定量押し込まれると、回動レバー２５の起立片２５ａが図示せぬ第１の検出スイッチを動作させ、ディスクＤの挿入が検知されるようになっている。また、第２のガイド体１２は第２のスライド板１８に一体化されており、第１および第２のスライド板１７，１８が互いに逆向きにほぼ同等の距離だけスライド移動するように設計されているので、第１のガイド体１１と第２のガイド体１２はほぼ対称的な移動のしかたで近接離反する。さらに、第２のガイド体１２には適宜個所に、ディスクＤがプレイ位置に配置されたか否かを判定するための図示せぬ第２の検出スイッチが配設されている。
【００２３】
このように構成されたチェンジャ型ディスク装置において、挿入口２ａから筐体１内へディスクＤが挿入されると、図２に示すように、最も手前に位置する駆動プーリ１３が該ディスクＤの周縁部に押し込まれて、挿入動作の開始が前記第１の検出スイッチにより検知される。その検出信号に基づいて、第１および第２のガイド体１１，１２の間隔がディスクＤの搬送に好適な距離に設定されると共に、歯車１４等を介して駆動プーリ１３，１３ａが回転駆動されるので、挿入されたディスクＤは両ガイド体１１，１２間に挟持されて筐体１内の奥方へと搬送されていく。
【００２４】
こうして挿入したディスクＤを収納せずにプレイ状態となす場合の動作について説明すると、まず図４に示すように、第１および第２のガイド体１１，１２に挟持されたディスクＤをプレイ位置まで搬送すると、前記第２のスイッチがこれを検知して駆動プーリ１３，１３ａの回転が停止する。このとき図５に示すように、駆動ユニット７は駆動位置で待機しているので、ディスクＤの中心孔がターンテーブルの中心上に位置決めされる。そして、駆動ユニット７のターンテーブルとクランパとの間にディスクＤをチャッキングすると共に、第１および第２のガイド体１１，１２をそれぞれ外側へ退避させて両ガイド体１１，１２の間隔を最大となす。そして、ディスクＤがターンテーブルによって回転駆動され、ディスクＤの情報が光ピックアップで読み込まれるプレイ動作が行われる。このとき、ドライブ駆動機構８と駆動ユニット７が前記ダンパ機構に支持された状態となっているので、駆動ユニット７の光ピックアップによって該ディスクＤの情報を読み取るプレイ動作中に音飛び等が発生しにくくなっている。
【００２５】
また、かかる第１のガイド体１１の退避動作中に、突片２３ｂが規制壁３ａに当接し、長孔２３ｃに沿って切り起こし部１７ａを相対的に移動させながら第１のスライド板１７に対して係止カム部材２３がスライド移動していくため、扇状レバー２２の切り起こし部２２ａがカム面２３ａに対して摺動し、該扇状レバー２２が図示時計回りに回転する。それゆえ、連結部材２０がディスク収納部６側へ押し込まれ、この連結部材２０が復帰ばね２１の付勢力に抗して回動レバー１９を図示時計回りに回転させる。その結果、図５，８に示すように、最奥の駆動プーリ１３ａが他の駆動プーリ１３よりも外側へ大きく退避することとなる。この最奥の駆動プーリ１３ａは第１のガイド体１１の構成部品の中でプレイ動作中のディスクＤや光ピックアップと最も接近する部分なので、本実施例のように駆動プーリ１３ａだけを大きく退避させておけば、第１のガイド体１１の退避スペースをほとんど増大させることなく、プレイ動作中のディスクＤや光ピックアップの周囲に余裕のあるクリアランスを確保することができ、防振対策の信頼性が向上する。
【００２６】
なお、挿入したディスクＤをディスク収納部６に収納する場合には、図３に示すように、ディスクＤの搬送経路と同一高さに配置されているストッカ３２まで該ディスクＤは搬送されていく。
【００２７】
一方、ストッカ３２に収納されている任意のディスクＤをプレイ状態となす場合の動作は、ドライブ駆動機構８によって駆動ユニット７を挿入口２ａに近接する退避位置まで移動させた後、まず、送りねじ部材３１を所定の向きに適宜回転させることにより、選択したディスクＤを保持しているストッカ３２をディスクＤの搬送経路と同一高さ位置まで上昇または下降させるディスク選択動作が行われる。次に、第１および第２のガイド体１１，１２の間隔を狭め、図３に示すように、最奥の駆動プーリ１３ａをディスクＤの周縁部に押し当てる。このとき、最奥の駆動プーリ１３ａはディスクＤによって第２のガイド体１２から離れる方向へ押し込まれるので、回動レバー１９が図示時計回りに回転駆動されるが、すぐに係止カム部材２３のストッパ部２３ｄが連結部材２０の段部２０ａを係止して該回動レバー１９の回転を規制してしまうので、最奥の駆動プーリ１３ａは図７に示す状態で軸支されることになる。それゆえ、この状態で最奥の駆動プーリ１３ａに加えられるディスクＤの押し込み力に対して、引っ張りばね１０の付勢力が反力として第１のガイド体１１および駆動プーリ１３ａに与えられるので、該駆動プーリ１３ａはディスクＤの周縁部に強く圧接される。つまり、最奥の駆動プーリ１３ａがディスクＤに所定量押し込まれると、回動レバー１９の回転が規制されて該駆動プーリ１３ａが独自に退避できないようにしてあるので、該駆動プーリ１３ａも他の駆動プーリ１３と同様に、引っ張りばね１０の牽引力によってディスクＤの周縁部に十分なる駆動力を付与することができる。したがって、許容限度の厚みを有してストッカ３２との摩擦力が懸念されるディスクＤであっても、該ディスクＤを最奥の駆動プーリ１３ａの付与する駆動力によってストッカ３２から確実に取り出すことができる。
【００２８】
また、このように最奥の駆動プーリ１３ａについても、ディスクＤに対する圧接力は引っ張りばね１０が生起するようにしておけば、回動レバー１９用の復帰ばね２１の付勢力を特に強くする必要がなくなる。そのため、図８に示すように最奥の駆動プーリ１３ａを独自に大きく退避させる際に、前記リンク機構に作用する負荷を抑えることができ、よって前記ガイド体間隔変更手段に作用する負荷を抑えることができる。
【００２９】
なお、こうしてストッカ３２から取り出したディスクＤは、図４に示すようにプレイ位置に搬送された後、図５に示すように第１および第２のガイド体１１，１２を外側へ退避させた状態で、駆動ユニット７の光ピックアップによって情報の読み取りが行われるが、これら一連の動作はすでに説明してあるので省略する。
【００３０】
なお、上記実施例では、防振対策が不可欠な車載用のチェンジャ型ディスク装置について説明したが、特別な防振対策が要求されない場合でも、プレイ動作中のディスクＤや光ピックアップとの干渉が懸念される駆動プーリ１３ａを他の駆動プーリ１３よりも大きく退避させる構成にしておけば、装置全体の幅寸法を容易に低減させることがてきるので、小型化を促進させやすくなる。
【００３１】
【発明の効果】
本発明は以上説明したような形態で実施され、以下に記載されるような効果を奏する。
【００３２】
ディスクがプレイ位置に配置されて第１および第２のガイド体を外側へ退避させると、レバー駆動手段が回動レバーを回転させて、プレイ動作中にディスクや光ピックアップとの干渉が特に懸念される特定の駆動プーリを他の駆動プーリよりも大きく退避させるようにしたディスク搬送機構なので、ガイド体の全体を大きく退避させる必要がなくなり、チェンジャ型ディスク装置の幅寸法の短縮化が容易になる。また、その結果として、装置の幅寸法を不所望に増大させなくても、プレイ動作中のディスクや光ピックアップの周囲に十分なクリアランスを確保することができるので、防振対策の信頼性が向上する。
【００３３】
また、このディスク搬送機構は、特定の駆動プーリがディスクの周縁部に所定量押し込まれると、回転規制手段がレバー駆動手段を介して回動レバーの回転を規制し、特定の駆動プーリが独自に退避できないようにしてあるので、回動レバー用の復帰ばねの付勢力が弱くても、特定の駆動プーリを他の駆動プーリと同様に、ディスク挟持用の引っ張りばねの牽引力によってディスクの周縁部に強く圧接させることができる。それゆえ、許容限度の厚みを有してストッカとの摩擦力が懸念されるディスクであっても、該ディスクを特定の駆動プーリの付与する駆動力によってストッカから確実に取り出すことができると共に、特定の駆動プーリを独自に大きく退避させる際にレバー駆動手段に作用する負荷を抑えることができる。
【図面の簡単な説明】
【図１】チェンジャ型ディスク装置の内部機構を省略して示す実施例の断面図である。
【図２】ディスクの挿入開始時の状態を示す同実施例の内部機構説明図である。
【図３】ディスクをストッカに収納した状態を示す同実施例の内部機構説明図である。
【図４】ディスクを搬送している状態を示す同実施例の内部機構説明図である。
【図５】プレイ動作時の状態を示す同実施例の内部機構説明図である。
【図６】同実施例で待機状態の第１のガイド体を示す説明図である。
【図７】ディスク搬送中の該第１のガイド体を示す説明図である。
【図８】退避状態の該第１のガイド体を示す説明図である。
【図９】該第１のガイド体に付設したリンク機構の部品構成図である。
【符号の説明】
１  筐体
２ａ  挿入口
３  上部シャーシ
４  下部シャーシ
５  ディスク搬送機構
６  ディスク収納部
７  駆動ユニット
１０  引っ張りばね
１１  第１のガイド体
１１ａ  ベース板
１２  第２のガイド体
１３，１３ａ  駆動ローラ
１４  歯車
１５  モータ
１６  ラック
１７，１８  スライド板
１９  回動レバー
２０  連結部材
２０ａ  段部
２１  復帰ばね
２２  扇状レバー
２２ａ  切り起こし部
２３  係止カム部材
２３ａ  カム面
２３ｂ  突片
２３ｄ  ストッパ部
３１  送りねじ部材
３２  ストッカ
Ｄ  ディスク
【図１】
0003756117.tif 000002
【図２】
0003756117.tif 000003
【図３】
0003756117.tif 000004
【図４】
0003756117.tif 000005
【図５】
0003756117.tif 000006
【図６】
0003756117.tif 000007
【図７】
0003756117.tif 000008
【図８】
0003756117.tif 000009
【図９】
0003756117.tif 000010